(57)【要約】【課題】  ゲージ等が無い場所でも使用することが可能であり、多種多様な大きさのペットに対応可能なペット用給水器スタンドを提供する。【解決手段】  突起部６、水受け部５、及び餌収容部４を有する基台２と、基台２の上方に突出され、四本の棒部材８が鉛直に配設され三箇所の間隙１１を形成し、これらの棒部材８の上端部を上端部側部材９により接続し、下端部を下端部側部材１０により接続して構成された支持部材３とを具備し、支持部材３に延設された嵌挿部材１２を筒部材７に嵌挿することにより基台２に取付けられるペット用給水器スタンド１であり、ペット用給水器１０１が、締結ネジ１０７を間隙１１に貫通させて第一当接板１０５と第二当接板１０６とを棒部材８に挟着させることによりペット用給水器スタンド１に立設状態で取付け可能となり、この締結ネジ１０７の締結状態を緩めることでペット用給水器１０１が間隙１１に沿って上下に高さ調節可能である。【選択図】  図３
0003116697.tif 000002
【実用新案登録請求の範囲】
【請求項１】
水等を入れる容器が取付けられる給水ユニットと、該給水ユニットの下部から下斜め方向へ延設され、その先端に水の流出を止める止水体を有する給水管と、前記給水ユニットに連結され被支持具に当接する第一当接板と、該第一当接板に対向して配設され該第一当接板との協働で前記被支持具を挟む第二当接板と、前記第一当接板及び前記第二当接板を前記被支持具に挟着させる締結ネジとを具備し、前記給水管を介してペットに水を与えるペット用給水器を、
立設状態で支持するペット用給水器スタンドであって、
床等に設置される基台と、
該基台に対して上方に突出され、前記第一当接板及び前記第二当接板の間に配置される取付部材、及び該取付部材に穿設され上下方向に延びるとともに前記締結ネジが挿通される長孔を有し、前記締結ネジの締結状態を緩めることにより、前記第一当接板及び前記第二当接板を、前記長孔に沿って上下に摺動可能とする支持部材と
を具備することを特徴とするペット用給水器スタンド。
【請求項２】
前記ペット用給水器を取付けた際に、前記給水管の先端部分の下方に位置する前記基台上の水滴落下部位に、凹形状の水受け部が形成されていることを特徴とする請求項１に記載のペット用給水器スタンド。
【請求項３】
前記基台の上面で、且つ前記ペット用給水器を取付けた際に前記給水管の下方とは反対側となる非飲水側領域に、ペット用の餌を収容するための餌収容部が形成されていることを特徴とする請求項１又は請求項２に記載のペット用給水器スタンド。
【請求項４】
前記長孔は前記供給管が挿通する幅に形成されていることを特徴とする請求項１乃至請求項３のいずれか一つに記載のペット用給水器スタンド。
【考案の詳細な説明】
【技術分野】
【０００１】
本考案は、ペット用給水器スタンドに関するものであり、特に、水の入ったペットボトル等の容器から給水管を介してペットに水を与えるペット用給水器を取り付けるものである。
【背景技術】
【０００２】
従来は、ペットに水を与える際には、皿やボウル等の器を使用して水を与えていた。しかしながらこの場合、ペットは口の周りが水でぬれてしまい、特に、鼻の短いペット（例えばシーズー犬やパグなど）では顔全体が水でぬれてしまうため、このような顔をぬらした状態でペットが家の中を歩き回ると、床や家具などを水で汚してしまう恐れがある。したがって、床や家具などを汚さないために、ペットに水を与えた後、飼い主がタオルなどでペットの顔を拭くなどして対応しなければならなかった。
【０００３】
そこで、上記の問題を解決するために、ペットボトル等の水を入れる容器を固定する給水ユニットと、ペットに水を供給し、先端に水の流出を止める止水体を有する給水管と、給水ユニットに接続されゲージ等と当接する第一当接板と、第一当接板に対向してゲージ等に当接する第二当接板と、ゲージ等の間隙に挿通し第一当接板と第二当接板とをゲージ等に挟着させる締結ネジとを有するペット用給水器が提案されている（特許文献１）。このペット用給水器によれば、水を入れたペットボトル等の開口部を下方にして給水ユニットに接続し、第一当接板と第二当接板との協働でゲージを挟持し、締結ネジがゲージ等の間隙に挿通して第一当接板と第二当接板とを挟着させることにより、このペット用給水器がゲージ等に立設状態で取付けられている。
【０００４】
しかしながら、上記のペット用給水器ではゲージ等の無い場所で使用することは困難である。そこで、この問題を解決するため、容器と、給水管と、容器及び給水管を繋げる接続部と、床等に設置する基台と、基台の上面に突出され、給水管が挿通される溝を有し、容器を収納する筒体とからなるペット用給水器が提案されている（特許文献２）。すなわち、容器の下部に給水管が接続部を介して斜め下方向に延設されており、この容器が給水管を溝に挿通させて筒体に収容されると、この容器は接続部と溝の底とが接触することにより支持される。したがって、このペット用給水器によれば、ペット用給水器を床等に設置した状態でペットに水を与えることが可能である。
【０００５】
【特許文献１】実用新案登録第３０５４１１８号
【特許文献２】特開平１０−１０８５７２
【考案の開示】
【考案が解決しようとする課題】
【０００６】
しかしながら、特許文献２のペット用給水器では、給水管の高さを調節する手段が設けられていないため、多種多様な大きさのペットに対応することができず、飼い主はペットの種類や成長に合わせてペット用給水器を買い換える必要があった。
【０００７】
そこで、本考案は上記実情に鑑み、ゲージ等が無い場所でも使用することが可能であり、多種多様な大きさのペットに対応可能なペット用給水器スタンドを提供することを課題とするものである。
【課題を解決するための手段】
【０００８】
本考案に係るペット用給水器スタンドは、「水等を入れる容器が取付けられる給水ユニットと、該給水ユニットの下部から下斜め方向へ延設され、その先端に水の流出を止める止水体を有する給水管と、前記給水ユニットに連結され被支持具に当接する第一当接板と、該第一当接板に対向して配設され該第一当接板との協働で前記被支持具を挟む第二当接板と、前記第一当接板及び前記第二当接板を前記被支持具に挟着させる締結ネジとを具備し、前記給水管を介してペットに水を与えるペット用給水器を、立設状態で支持するペット用給水器スタンドであって、床等に設置される基台と、該基台に対して上方に突出され、前記第一当接板及び前記第二当接板の間に配置される取付部材、及び該取付部材に穿設され上下方向に延びるとともに前記締結ネジが挿通される長孔を有し、前記締結ネジの締結状態を緩めることにより、前記第一当接板及び前記第二当接板を、前記長孔に沿って上下に摺動可能とする支持部材とを具備する」ものである。
【０００９】
したがって、本考案のペット用給水器スタンドによれば、取付部材と長孔とを有する支持部材が基台の上方に突出されており、ペット用給水器の第一当接板を支持部材に当接させ、第二当接板を第一当接板と対向して支持部材に当接させることにより、支持部材を第一当接板と第二当接板との協働により挟むことが可能である。そして、締結ネジを長孔に挿通させ第一当接板と第二当接板とを締結させることにより、第一当接板と第二当接板とを支持部材に挟着させることが可能となる。また、この締結ネジを緩めることによりこの締結状態が解除されるため、第一当接板と第二当接板とを長孔に沿って上下方向に摺動させることが可能となる。そして、再び締結ネジを締めることにより、支持部材が第一当接板と第二当接板とにより挟着されることとなる。
【００１０】
さらに、本考案のペット用給水器スタンドは、「前記ペット用給水器を取付けた際に、前記給水管の先端部分の下方に位置する前記基台上の水滴落下部位に、凹形状の水受け部が形成されている」ものであっても良い。
【００１１】
したがって、本考案のペット用給水器スタンドによれば、ペット用給水器を取り付けた場合に、給水管の先端から水が落下することがあるが、落下位置に水受け部が形成されているため、この水を一定量溜めることができる。したがって、この落下した水が基台の外に流れ出て床などをぬらすことを防ぐことが可能である。
【００１２】
また、本考案のペット用給水器スタンドは、「前記基台の上面で、且つ前記ペット用給水器を取付けた際に前記給水管の下方とは反対側となる非飲水側領域に、ペット用の餌を収容するための餌収容部が形成されている」ものであっても良い。
【００１３】
したがって、本考案のペット用給水器スタンドによれば、ペット用給水器を取付けた場合に、ペットは水と餌を同じ場所で取ることができる。また、ペットがペット用給水器から水を飲む時に、ペットが足を基台上に乗せることがあるが、この場所以外の非飲水側領域に餌収容部を形成されているため、ペットは餌収容部が邪魔になることなく水を飲むことが可能である。さらに、非飲水側領域に餌収容部を形成することにより、ペットがペット用給水器から水を飲む時に給水管などから垂れる水が餌収容部にかからないため、餌が水でぬれてしまうことを防ぐことができる。
【００１４】
さらに、本考案のペット用給水器スタンドは、「前記長孔は前記供給管が挿通する幅に形成されている」ものであっても良い。
【００１５】
ここで、ペット用給水器を取付けてペットが水を飲む際に、ペット用給水器スタンドには、ペットが給水管を噛んだり口で押し上げたりするなどしてペット用給水器スタンドを倒したり動かしたりする力が加わることがあるが、ペット用給水器の給水管を長孔に挿通させてペット用給水器スタンドに取付けることにより、給水管の先端部分と支持部材との距離が近くなるため、支持部材を傾けるような大きな力は働かない。したがって、本考案のペット用給水器スタンドによれば、ペット用給水器を取付けた場合に、上記のような力が加わったとしても、ペット用給水器スタンドが倒れたり動くことを抑制することができる。
【考案の効果】
【００１６】
以上のように、本考案のペット用給水器スタンドによれば、ペット用給水器を取付けることが可能であるため、ゲージ等の無い場所でもペット用給水器を使用することができる。さらに、ペット用給水器をペットの種類に合わせた高さに調節することが可能であるため、多種多様な大きさのペットに適用することが可能である。
【考案を実施するための最良の形態】
【００１７】
以下、本考案の一実施形態であるペット用給水器スタンド１について、図１乃至図３に基づいて説明する。ここで、図１は本実施形態のペット用給水器スタンド１の構成を示す斜視図であり、図２はペット用給水器スタンド１にペット用給水器１０１を取り付けた場合の構成を示す斜視図であり、図３はそれらの分解斜視図である。
【００１８】
ペット用給水器１０１は、図３に示すように、水等を入れる容器１０２、給水ユニット１０３、先端に止水体１０８を有する給水管１０４、第一当接板１０５、及び締結ネジ１０７が突設された第二当接板１０６により構成されている。
【００１９】
本考案のペット用給水器スタンド１は、図１に示すように、プラスチック等の樹脂からなり、基台２の上方に突出した支持部材３を有して構成されている。
【００２０】
基台２は略円盤形状を呈し、周縁が外側から内側にかけて上方に半円を描くように突起した突起部６が形成されている。また、基台２の略中心には筒状の筒部材７が突設され、基台２の上面には中心から突起部６にかけてドーナッツ形状の水受け部５が形成されている。加えて、基台２の上面に餌収容部４が形成されている。
【００２１】
支持部材３は四本の棒部材８が間隔を有し鉛直に配設されており、これらの棒部材８の上端部は夫々上端部側部材９により接続され、下端部は下端部側部材１０により接続されているため、支持部材３は長方形の縦縞形状を呈する。また、四本の棒部材８の間隔により間隙１１が形成されているため、間隙１１は三箇所設けられている。なお、本実施形態では四本の棒部材８と上端部側部材９と下端部側部材１０とを組み合わせたものが本発明の取付部材に相当し、間隙１１が本発明の長孔に相当する。さらに、下端部側部材１０には筒部材７に嵌挿可能な棒形状の嵌挿部材１２が下方に延設されている。
【００２２】
棒部材８は四角柱形状であり、四本有している。棒部材８は、図２に示すように、並設されているため、第一当接板１０５及び第二当接板１０６が少なくとも二本の棒部材８と当接することとなる。
【００２３】
間隙１１は、図２に示すように、上下方向に延びた長方形を呈しており、給水管１０４と締結ネジ１０７とが貫通する幅に形成されている。また、間隙１１は三箇所設けられているため、左右方向に一対の締結ネジ１０７を並設する場合でも、夫々の締結ネジ１０７を対応した間隙１１に貫通させることで、このような場合でもペット用給水器１０１を支持部材３に取付けることが可能である。
【００２４】
基台２の上面は、ペット用給水器１０１を取付けた場合に、給水管１０４の下方に位置しペットが水を飲む時に使用する飲水側領域Ａと、その他の非飲水側領域Ｂとに領域を分けることが可能である。
【００２５】
水受け部５は、ペット用給水器１０１を取付けた場合に、基台２の上面における、給水管１０４の先端部分の下方に位置する水滴落下場所を含み、ドーナッツ形状に形成されているため、水滴落下場所のみに水受け部５を形成するよりも、より多く水を溜めることが可能である。
【００２６】
餌収容部４は、非飲水側領域Ｂに形成され、器形状を呈している。また、餌収容部４を基台２の上面であり、下端部側部材１０の長手方向の延長線上の下方に位置する場所に形成することにより、ペット用給水器スタンド１を壁に近づけ、給水管１０４の先端を壁とは反対側に向けて設置した場合でも、ペットが餌を食べることが困難にならない。
【００２７】
基台２と支持部材３とは、基台２に突設された筒部材７の嵌挿穴７ｐに、支持部材３の下方に延設された棒形状の嵌挿部材１２の先端部１２ａが嵌挿されて接続されている。
【００２８】
次に、図３を用いてペット用給水器スタンド１の組み立て例とペット用給水器１０１の取付け例について説明する。まず、ペット用給水器スタンド１を組み立てるため、餌収容部４と突起部６とが形成された基台２を床等に置く。次に、基台２に支持部材３を取付けるが、ここで支持部材３の位置を、餌収容部４が、支持部材３の下端部側部材１０の長手方向の延長線上の下方に位置するようにあわせる。その後、嵌挿部材１２の先端部１２ａを筒部材７の嵌挿穴７ｐに嵌挿させる。これにより、基台２と支持部材３とが接続されペット用給水器スタンド１が組み立てられる。次に、ペット用給水器１０１をペット用給水器スタンド１に取付ける。はじめに、容器１０２の開口部１０２ａを上に向け、開口部１０２ａから水を入れる。そして、給水管１０４と第一当接板１０５とが取り付けられた給水ユニット１０３の接続穴１０３ｐを下に向け、接続穴１０３ｐを容器１０２の開口部１０２ａに螺合させる。その後、この一体化した容器１０２及び給水ユニット１０３の上下を逆にし、給水管１０４を間隙１１に貫通させ、さらに第一当接板１０５のネジ穴１０５ｐを間隙１１にあわせながら第一当接板１０５を棒部材８に当接させる。そして、第二当接板１０６に突設された締結ネジ１０７の先端を、第一当接板１０５に相対する側から間隙１１を貫通させてネジ穴１０５ｐにあわせ、第一当接板１０５及び第二当接板１０６により棒部材８が挟着されるまで締結ネジ１０７を螺合させる。これにより、ペット用給水器１０１がペット用給水器スタンド１に立設状態で取付けられる。
【００２９】
また、図２を用いてペット用給水器１０１の高さ調節の方法について説明する。ペット用給水器１０１は、第二当接板１０６に突設された締結ネジ１０７により締結状態が維持されている。したがって、第二当接板１０６を回転させて締結状態が緩んだ状態とし、第一当接板１０５及び第二当接板１０６を間隙１１に沿って上下方向に摺動させ、第二当接板１０６を再び回転させて締結状態にすることにより、ペット用給水器１０１の高さを変えてペット用給水器スタンド１に取付けることができる。
【００３０】
したがって、本考案のペット用給水器スタンド１によれば、ペット用給水器１０１を取付けることが可能であるため、ゲージの無い場所でもペット用給水器１０１を使用することが可能である。また、ペット用給水器１０１を間隙１１に沿って昇降させてペット用給水器スタンド１に取付けることによって、多種多様な大きさのペットに対応することができる。さらに、餌収容部４を基台２の上面に形成することにより、水と餌を同じ場所で取ることができる。また、餌収容部４を基台２の上面における非飲水側領域Ｂに形成されていることから、ペットがペット用給水器１０１から水を飲む時に給水管１０４などから垂れる水が餌収容部４に入らないため、餌が水でぬれてしまうことを防ぐことができる。さらに、ペットがペット用給水器１０１から水を飲む時に、足を基台２の飲水側領域Ａに乗せることがあるが、餌収容部４を非飲水側領域Ｂに形成することにより、水を飲む時に餌収容部４が邪魔とならない。また、ペットが水を飲む時にペットの足が基台２の上面に乗せることが可能であるため、ペットは給水管１０４に近づいて水を飲むことが可能である。さらに、ペットが基台２に足を乗せた場合に、ペットの重みにより安定することから、ペットが給水管１０４を噛んだり口で突き上げたりすることによるペット用給水器スタンド１の転倒を防ぐことが可能となる。加えて、餌収容部４を基台２の上面であり、下端部側部材１０の長手方向の延長線上の下方に形成することにより、ペット用給水器スタンド１を壁の近くに設置し給水管１０４の先端を壁と反対側に向けた場合でも、餌収容部４にペットの頭等が壁などに接触しないため、ペットは障害なく餌を食べることができる。
【００３１】
また、基台２を円形状の板とすることにより引っかかる部分が少ないため、ペットが接触してケガをする恐れが少ない。加えて、ペットが水を飲む場合に給水管１０４を噛んだり口で押し上げるような力が加わったとしても、基台２が周縁に沿って回転しやすくなるため、ペット用給水器スタンド１が倒れることを抑制することができる。さらに、基台２の略中心に支持部材３が設置されていることから、上記のような力が加わったとしても、バランスが保たれやすいため、ペット用給水器スタンド１の転倒を抑制することが可能である。
【００３２】
加えて、棒部材８を第一当接板１０５及び第二当接板１０６により当接される面が平面となるようように配設することにより、第一当接板１０５及び第二当接板１０６が棒部材８に挟着するときのぐらつきが防止されるため、ペット用給水器１０１を安定して取付けることが可能である。
【００３３】
さらに、間隙１１を給水管１０４が貫通する幅に形成し、給水管１０４を間隙１１に貫通させて取付けることにより、ペットが給水管１０４の先端部分を噛んだり口で押し上げたりするなどしてペット用給水器スタンド１を倒したり動かしたりする力が加わったとしても、給水管１０４の先端部分と支持部材３との距離が近くなるため、支持部材３を傾けるような大きな力は働かない。また、間隙１１は三箇所設けられていることから、左右方向に一対の締結ネジ１０７を並設する場合でも、夫々の締結ネジを対応した間隙１１に挿通させることができるため、締結ネジを二個有する場合でもペット用給水器１０１を支持部材３に取付けることが可能である。
【００３４】
加えて、ペット用給水器スタンド１は床等に設置して使用するものであり、プラスチック等の樹脂により製造されているため、軽量であり、持ち運びすることができる。また、持ち運びできることから、水を交換する場合には、ペット用給水器１０１をペット用給水器スタンド１に取付けたまま洗面所などへ持って行き、水を交換することが可能であり、さらに水受け部５又は餌収容部４に溜まった水や餌の食べ残しなどを掃除する場合にも、これらを取付けた状態で洗面所などへ持ち運んで作業をすることが可能であるため、メンテナンスが楽である。また、基台２と支持部材３とが着脱可能に接続されているため、これらを取外して扱うことができ、持運びをしたり収納したりする場合にはコンパクトにすることが可能である。
【００３５】
以上、本考案について好適な実施形態を挙げて説明したが、本考案はこれらの実施形態に限定されるものではなく、以下に示すように、本考案の趣旨を逸脱しない範囲において種々の改良及び設計の変更が可能である。
【００３６】
本実施形態では、図１に示すようなペット用給水器スタンド１を示したが、図４に示すような形状のものでも良い。ここで、同一の構造は同一の番号を付し詳細な説明を省略する。このペット用給水器スタンド１４によれば、基台１５の中央が上方へ盛り上がった形状を呈している。また、棒部材１７は円柱形状を呈し、内側の二本が外側の二本よりも長く、これらの棒部材１７は上端部を円柱形状の上端部側部材１８により接続されアーチ状に形成され、下端部は円柱形状の下端部側部材１９により接続されている。さらに、間隙２０は上方が湾曲した略長方形である。加えて、餌収容部２１は基台１５に窪みを有して形成されている。また、支持部材１６及び嵌挿部材１２はスチール製であり、基台１５、餌収容部２１、及び筒部材７はプラスチック製である。したがって、支持部材１６及び嵌挿部材１２がスチール製であるため、支持部材１６及び嵌挿部材１２の強度や耐久性が増す。また、支持部材１６の上部がアーチ状に形成されていることにより、ペット用給水器スタンド１４の美観が良くなる。
【００３７】
また、本実施形態では、プラスチック等の樹脂で製造したペット用給水器スタンド１を示したが、各部材の全てを木材や金属などにより製造しても良く、また各部材ごとにプラスチックや木材又は金属などにより製造し、材質の異なる部材によりペット用給水器スタンドを製造しても良い。これにより、強度が必要な部分を強化することや、複雑な加工が困難な部材を加工し易くすることや、コストを削減することが可能である。
【００３８】
さらに、本実施形態では、基台２の筒部材７に支持部材３の嵌挿部材１２を嵌挿させて接続したものを示したが、本発明はこれに限定されることはなく、筒部材７と嵌挿部材１２との側面にそれぞれ貫通孔（図示しない）を穿設し、これらの貫通孔を合わせて接続し、係止ネジ等の係止部材（図示しない）を貫通孔に嵌挿又は螺合させることにより筒部材７と嵌挿部材１２とを係止しても良い。これにより、嵌挿部材１２が容易に抜けてしまうことやぐらつきを防止することができる。加えて、嵌挿部材１２に縦方向に複数の貫通孔（図示しない）を穿設させることにより、嵌挿部材１２を上下させて筒部材７の貫通孔と合わせ、係止ネジ等の係止部材を嵌挿又は螺合させて係止しても良い。これにより、基台２と支持部材３との接続部分でも高さを調節することができる。また、筒部材７の嵌挿穴７ｐを雌ネジ形状に加工し、嵌挿部材１２の先端部１２ａを雄ネジ形状に加工することにより螺合させて基台２と支持部材３とを接続させても良い。さらに、嵌挿部材１２に筒部材７を螺合させるため、嵌挿部材１２の先端部１２ａを内空構造として内部側面を雌ネジ形状に加工し、筒部材７の外部側面を雄ネジ形状に加工しても良い。加えて、支持部材３に延設された嵌挿部材１２を基台２に直接接着させても良い。
【００３９】
また、本実施形態では、餌収容部４は基台２に形成されたものを示したが、餌収容部を独立して形成し、必要に応じて基台２の上面に設置するようにしても良い。このようにすれば、餌収容部は餌を与える時に設置することができ、必要がないときには取外すことが可能となり、餌収容部を簡単に掃除することが容易となる。
【００４０】
さらに、本実施形態では、棒部材８、上端部側部材９、及び下端部側部材１０は四角柱を呈したものを示したが、円柱や多角部材を用いても良い。さらに、支持部材３は、棒部材８と上端部側部材９と下端部側部材１０とにより間隙１１が形成されたものを示したが、板材に長孔を切削して支持部材を形成しても良い。
【００４１】
また、本実施形態では、棒部材８を四本用いて間隙１１を三箇所形成した支持部材３を示したが、必要な数の間隙１１に応じて棒部材８を増減させた支持部材３としても良い。
【００４２】
さらに、本実施形態では、水受け部５として基台２の上面に形成されたドーナッツ形状のものを示したが、図２の点線で示す位置２２に上面に突起した枠部（図示しない）を形成し、水受け部としても良い。
【００４３】
また、本実施形態では、第一当接板１０５が給水ユニット１０３に接着されたものを示したが、給水ユニット１０３が外れるように第一当接板１０５を形成し、第一当接板と給水ユニットとを着脱可能としても良い。このようにすれば、水を交換する時に給水ユニットを取外して持ち運びができるため、より簡単に水を交換することができる。
【図面の簡単な説明】
【００４４】
【図１】本発明の一実施形態であるペット用給水器スタンドの構成を示す斜視図である。
【図２】本発明の一実施形態であるペット用給水器スタンドにペット用給水器を取付けた際の構成を示す斜視図である。
【図３】本発明の一実施形態であるペット用給水器スタンドとペット用給水器との構成を示す分解斜視図である。
【図４】本発明のその他の実施形態であるペット用給水器スタンドの構成を示す断面図である。
【符号の説明】
【００４５】
１，１４  ペット用給水器スタンド
２，１５  基台
３，１６  支持部材
４，２１  餌収容部
５  水受け部
６  突起部
８，１７  棒部材（取付部材）
９，１８  上端部側部材（取付部材）
１０，１９  下端部側部材（取付部材）
１１，２０  間隙（長孔）
１０１  ペット用給水器
１０２  容器
１０３  給水ユニット
１０４  給水管
１０５  第一当接板
１０６  第二当接板
１０７  締結ネジ
１０８  止水体
Ｂ  非飲水側領域
【図１】
0003116697.tif 000003
【図２】
0003116697.tif 000004
【図３】
0003116697.tif 000005
【図４】
0003116697.tif 000006